(57)【要約】  第１ポートがコントロール用コンピュータ又は前段の表示装置にデイジーチェーン接続可能であり、第２ポートが後段の表示装置にデイジーチェーン接続可能であるネットワーク部と、複数の表示装置へ表示装置ＩＤを設定する対象の表示装置を検索する要求がコントロール用コンピュータから送信されることに応じて第２ポートに接続された後段の表示装置のそれぞれから送信される送信元の表示装置のアドレスをネットワーク部によって受信して記憶する記憶部と、コントロール用コンピュータから送信される、複数の表示装置の台数の合計である合計数を受信し、受信した合計数と記憶部に記憶されたアドレスの個数とに基づいて、自身の表示装置に割り当てる表示装置ＩＤを決定する制御部と、を有する。
2015136660.tif 000002
【特許請求の範囲】
【請求項１】
第１ポートがコントロール用コンピュータ又は前段の表示装置にデイジーチェーン接続可能であり、第２ポートが後段の表示装置にデイジーチェーン接続可能であるネットワーク部と、
前記複数の表示装置へ表示装置ＩＤを設定する対象の表示装置を検索する要求が前記コントロール用コンピュータから送信されることに応じて前記第２ポートに接続された後段の表示装置のそれぞれから送信される送信元の表示装置のアドレスを前記ネットワーク部によって受信して記憶する記憶部と、
前記コントロール用コンピュータから送信される、前記複数の表示装置の台数の合計である合計数を受信し、受信した合計数と前記記憶部に記憶されたアドレスの個数とに基づいて、自身の表示装置に割り当てる表示装置ＩＤを決定する制御部と、
を有することを特徴とする表示装置。
【請求項２】
前記制御部は、前記決定された表示装置ＩＤを前記第１ポートから前記コントロール用コンピュータへ送信する
ことを特徴とする請求項１記載の表示装置。
【請求項３】
コントロール用コンピュータに複数の表示装置がネットワークを介してデイジーチェーン接続されるマルチディスプレイシステムであり、
前記コントロール用コンピュータは、
前記複数の表示装置へ表示装置ＩＤを設定する対象の表示装置を検索する要求を送信する第１送信部と、
前記要求に対応して前記複数の表示装置から送信される応答の数から前記複数の表示装置の合計数を算出する算出部と、
前記算出された合計数を前記複数の表示装置に送信する第２の送信部と、を有し、
前記複数の表示装置のうち第１の表示装置は、
第１ポートが前記コントロール用コンピュータに接続可能であり、第２ポートが後段の表示装置に接続可能である第１ネットワーク部と、
前記第１ネットワーク部によって受信する、前記第２ポートに接続された後段の表示装置それぞれから前記コントロール用コンピュータの前記要求に応じて送信される送信元の表示装置のアドレスをそれぞれ記憶する第１記憶部と、
前記コントロール用コンピュータから送信される合計数を受信し、受信した合計数と前記第１記憶部に記憶されたアドレスの個数とに基づいて、自身の表示装置に割り当てる表示装置ＩＤを決定する制御部と、を有し、
前記複数の表示装置のうち第１の表示装置の後段に接続される第ｎ（ｎは２以上の自然数）の表示装置は、
第２ポートが前段の表示装置に接続可能であり、第３ポートが後段の表示装置に接続可能である第２ネットワーク部と、
前記第２ネットワーク部によって受信する、前記第３ポートに接続された後段の表示装置のそれぞれから前記コントロール用コンピュータの前記要求に応じて送信される送信元の表示装置のアドレスをそれぞれ記憶する第２記憶部と、
前記コントロール用コンピュータから送信される合計数を受信し、受信した合計数と前記第２記憶部に記憶されたアドレスの個数とに基づいて、自身の表示装置に割り当てる表示装置ＩＤを決定する制御部と、を有する
ことを特徴とするマルチディスプレイシステム。
【請求項４】
複数の表示装置へ表示装置ＩＤを設定する対象の表示装置を検索する要求がコントロール用コンピュータから当該コントロール用コンピュータにデイジーチェーン接続された表示装置のそれぞれに送信されることに応じて、自身の後段にデイジーチェーン接続された表示装置のそれぞれから送信される送信元の表示装置のアドレスを受信して記憶し、
前記コントロール用コンピュータから送信される、前記複数の表示装置の台数の合計である合計数を受信し、受信した合計数と前記記憶されたアドレスの個数とに基づいて、自身の表示装置に割り当てる表示装置ＩＤを決定する
ことを特徴とする表示装置のＩＤ決定方法。
【発明の詳細な説明】
【技術分野】
【０００１】
本発明は、表示装置、マルチディスプレイシステム、表示装置のＩＤ決定方法に関する。
【背景技術】
【０００２】
複数台のディスプレイを並べて接続することにより、全体として大きな画面を構成するマルチ構成されたディスプレイが用いられている（例えば、特許文献１）。このマルチ構成されたディスプレイでは、ネットワークを介して行う制御やリモコンでの制御を行うため、配置順にディスプレイＩＤを効率的に自動設定する様々な提案がなされている。
近年、接続方式がＲＳ２３２ＣからＥｔｈｅｒｎｅｔ（登録商標）に変化してきている。【０００３】
しかし、接続方式がＲＳ２３２ＣからＥｔｈｅｒｎｅｔ（登録商標）へ変化するに伴い、例えば、ＲＳ２３２Ｃであれば、前段接続用コネクタと後段接続用コネクタが指定されていた。そのため、ディスプレイＩＤの設定方法としては、まず、接続されているすべてのディスプレイの後段用のインターフェースを閉じ、最前部から、一つ一つ、後段用のインターフェースを開けながら、ディスプレイＩＤをカウントしているという方法をとることができた。【０００４】
しかし、ターゲットとなる表示装置の接続台数が増加すると、上述の自動設定方法では、設定時間が長引いてしまう課題がある。
【先行技術文献】
【特許文献】
【０００５】
【特許文献１】特開２００５−２０２３０６号公報
【発明の概要】
【発明が解決しようとする課題】
【０００６】
解決しようとする問題点は、表示装置の接続台数が増加すると、ディスプレイＩＤを設定する時間が長引いてしまうことである。
【課題を解決するための手段】
【０００７】
本発明の一実施態様は、第１ポートがコントロール用コンピュータ又は前段の表示装置にデイジーチェーン接続可能であり、第２ポートが後段の表示装置にデイジーチェーン接続可能であるネットワーク部と、前記複数の表示装置へ表示装置ＩＤを設定する対象の表示装置を検索する要求が前記コントロール用コンピュータから送信されることに応じて前記第２ポートに接続された後段の表示装置のそれぞれから送信される送信元の表示装置のアドレスを前記ネットワーク部によって受信して記憶する記憶部と、前記コントロール用コンピュータから送信される、前記複数の表示装置の台数の合計である合計数を受信し、受信した合計数と前記記憶部に記憶されたアドレスの個数とに基づいて、自身の表示装置に割り当てる表示装置ＩＤを決定する制御部と、を有することを特徴とする。【０００８】
また、本発明の他の一実施態様は、コントロール用コンピュータに複数の表示装置がネットワークを介してデイジーチェーン接続されるマルチディスプレイシステムであり、前記コントロール用コンピュータは、前記複数の表示装置へ表示装置ＩＤを設定する対象の表示装置を検索する要求を送信する第１送信部と、前記要求に対応して前記複数の表示装置から送信される応答の数から前記複数の表示装置の合計数を算出する算出部と、前記算出された合計数を前記複数の表示装置に送信する第２の送信部と、を有し、前記複数の表示装置のうち第１の表示装置は、第１ポートが前記コントロール用コンピュータに接続可能であり、第２ポートが後段の表示装置に接続可能である第１ネットワーク部と、前記第１ネットワーク部によって受信する、前記第２ポートに接続された後段の表示装置それぞれから前記コントロール用コンピュータの前記要求に応じて送信される送信元の表示装置のアドレスをそれぞれ記憶する第１記憶部と、前記コントロール用コンピュータから送信される合計数を受信し、受信した合計数と前記第１記憶部に記憶されたアドレスの個数とに基づいて、自身の表示装置に割り当てる表示装置ＩＤを決定する制御部と、を有し、前記複数の表示装置のうち第１の表示装置の後段に接続される第ｎ（ｎは２以上の自然数）の表示装置は、第２ポートが前段の表示装置に接続可能であり、第３ポートが後段の表示装置に接続可能である第２ネットワーク部と、前記第２ネットワーク部によって受信する、前記第３ポートに接続された後段の表示装置のそれぞれから前記コントロール用コンピュータの前記要求に応じて送信される送信元の表示装置のアドレスをそれぞれ記憶する第２記憶部と、前記コントロール用コンピュータから送信される合計数を受信し、受信した合計数と前記第２記憶部に記憶されたアドレスの個数とに基づいて、自身の表示装置に割り当てる表示装置ＩＤを決定する制御部と、を有することを特徴とする。【０００９】
また、本発明の他の実施態様は、複数の表示装置へ表示装置ＩＤを設定する対象の表示装置を検索する要求がコントロール用コンピュータから当該コントロール用コンピュータにデイジーチェーン接続された表示装置のそれぞれに送信されることに応じて、自身の後段にデイジーチェーン接続された表示装置のそれぞれから送信される送信元の表示装置のアドレスを受信して記憶し、前記コントロール用コンピュータから送信される、前記複数の表示装置の台数の合計である合計数を受信し、受信した合計数と前記記憶されたアドレスの個数とに基づいて、自身の表示装置に割り当てる表示装置ＩＤを決定することを特徴とする表示装置のＩＤ決定方法である。
【発明の効果】
【００１０】
本発明によれば、ディスプレイＩＤを設定する時間が長引いてしまうことを低減することができる。
【図面の簡単な説明】
【００１１】
【図１】第１の実施態様における表示装置の機能を表す概略ブロック図である。
【図２】第２の実施態様におけるマルチディスプレイシステムの構成を表す概略ブロック図である。
【図３】第２の実施態様における表示装置２００の機能を表す概略ブロック図である。
【図４】マルチディスプレイシステムの動作を表すフローチャートである。
【図５】マルチディスプレイシステムの動作を説明する概略図である。
【図６】マルチディスプレイシステムの動作を説明する概略図である。
【図７】マルチディスプレイシステムの動作を説明する概略図である。
【図８】マルチディスプレイシステムの動作を説明する概略図である。
【図９】マルチディスプレイシステムの動作を説明する概略図である。
【発明を実施するための形態】
【００１２】
以下、本発明の実施態様を説明する。図１は、第１の実施態様における表示装置の機能を表す概略ブロック図である。表示装置１のネットワーク部２は、第１ポート３がコントロール用コンピュータ又は前段の表示装置にデイジーチェーン接続可能であり、第２ポート４が後段の表示装置にデイジーチェーン接続可能である。記憶部５は、複数の表示装置へ表示装置ＩＤを設定する対象の表示装置を検索する要求がコントロール用コンピュータから送信されることに応じて第２ポート４に接続された後段の表示装置のそれぞれから送信される送信元の表示装置のアドレスをネットワーク部２によって受信して記憶する。制御部６は、コントロール用コンピュータから送信される、複数の表示装置の台数の合計である合計数を受信し、受信した合計数と記憶部５に記憶されたアドレスの個数とに基づいて、自身の表示装置１に割り当てる表示装置ＩＤを決定する。
【００１３】
次に、第２の実施態様について説明する。図２は、第２の実施態様におけるマルチディスプレイシステムの構成を表す概略ブロック図である。コントロール用コンピュータ１００は、複数の表示装置とデイジーチェーン接続される。このように、コントロール用コンピュータに複数の表示装置がネットワークを介してデイジーチェーン接続されることで、マルチディスプレイシステムが構成されている。このデイジーチェーン接続する場合、例えば、Ｅｔｈｅｒｎｅｔ（登録商標）を用いることができる。
【００１４】
また、ここでは、複数の表示装置として、表示装置２００−１、表示装置２００−２、表示装置２００−３、表示装置２００−４の４台がデイジーチェーン接続された場合について説明するが、複数台であれば、表示装置の台数は４台以外を接続することもできる。また、表示装置２００−１、表示装置２００−２、表示装置２００−３、表示装置２００−４について、単に表示装置２００と呼ぶこともある。
【００１５】
また、コントロール用コンピュータ１００は、ネットワークケーブル３００−１を介して表示装置２００−１に接続される。
制御部１１０は、コントロール用コンピュータ１００全体の制御を行う。また、制御部１１０は、検索要求に対応して複数の表示装置から送信される応答の数から複数の表示装置の合計数を算出する。
ネットワーク部１２０は、後段に接続された各表示装置と通信する機能を有しており、複数の表示装置へ表示装置ＩＤを設定する対象の表示装置を検索する検索要求を送信する機能と、算出された合計数を複数の表示装置に送信する機能とを有する。
【００１６】
表示装置２００−１は、ネットワーク３００−２を介して後段の表示装置である表示装置２００−２に接続される。また、表示装置２００−１は、制御部２１０−１と、ネットワーク部２２０−１を有し、自身の画面上に各種映像を表示する。制御部２１０−１は、表示装置２００−１の全体を制御する。ネットワーク部２２０−１は、デイジーチェーン接続された他の機器と通信を行い、各種情報を送受信する。
【００１７】
表示装置２００−２は、ネットワーク３００−３を介して後段の表示装置である表示装置２００−３に接続される。また、表示装置２００−２は、制御部２１０−２と、ネットワーク部２２０−２を有し、自身の画面上に各種映像を表示する。制御部２１０−２は、表示装置２００−２の全体を制御する。ネットワーク部２２０−２は、デイジーチェーン接続された他の機器と通信を行い、各種情報を送受信する。
【００１８】
表示装置２００−３は、ネットワーク３００−４を介して後段の表示装置である表示装置２００−４に接続される。また、表示装置２００−３は、制御部２１０−３と、ネットワーク部２２０−３を有し、自身の画面上に各種映像を表示する。制御部２１０−３は、表示装置２００−３の全体を制御する。ネットワーク部２２０−３は、デイジーチェーン接続された他の機器と通信を行い、各種情報を送受信する。
【００１９】
表示装置２００−４は、制御部２１０−４と、ネットワーク部２２０−４を有し、自身の画面上に各種映像を表示する。制御部２１０−４は、表示装置２００−４の全体を制御する。ネットワーク部２２０−４は、デイジーチェーン接続された他の機器と通信を行い、各種情報を送受信する。なお、ネットワーク部２２０−４は、後段に表示装置を接続することが可能であるが、この実施態様においては、接続されていない場合について説明する。
【００２０】
図３は、第２の実施態様における表示装置２００の機能を表す概略ブロック図である。この図における表示装置２００の機能は、図２における表示装置２００−１、表示装置２００−２、表示装置２００−３、表示装置２００−４のそれぞれの機能と同様である。
【００２１】
この図において、表示装置２００は、制御部２１０とネットワーク部２２０とを有している。制御部２１０は、表示装置２００全体を制御する。
ネットワーク部２２０は、コントロール用コンピュータ１００または他の表示装置２００と接続可能であり、制御部２１０と接続される。このネットワーク部２２０は、例えば、レイヤ２スイッチを用いることができる。
第１ポート部２２１は、自身が有する第１ポートがコントロール用コンピュータ１００または他の表示装置２００に接続可能であり、第１ポートから受信したアドレス（例えば、コントロール用コンピュータ１００のＭＡＣアドレス）を記憶する第１テーブル２２１ａを有する。
第２ポート部２２２は、自身が有する第２ポートが後段の表示装置に接続可能であり、第２テーブル２２２ａを有する。第２テーブル２２２ａは、第１ポート部２２１によって受信する、第２ポート部２２２ａに接続された後段の表示装置それぞれからコントロール用コンピュータ１００の要求に応じて送信される送信元の表示装置のアドレスをそれぞれ記憶する。
【００２２】
制御部２１０は、コントロール用コンピュータ１００から送信される合計数を受信し、受信した合計数と第２テーブル２２２ａに記憶されたアドレスの個数とに基づいて、自身の表示装置に割り当てる表示装置ＩＤを決定する。
また、制御部２１０は、決定された表示装置ＩＤを第１ポートからコントロール用コンピュータへ送信する。
【００２３】
次に、第２の実施態様におけるマルチディスプレイシステムの動作について説明する。
図４は、マルチディスプレイシステムの動作を表すフローチャート、図５、図６、図７、図８、図９は、マルチディスプレイシステムの動作を説明する概略図である。
表示装置ＩＤの設定処理を実行する前においては、各表示装置２００の第１テーブル、第２テーブルにはＭＡＣアドレスは記憶されていない（図５）。
まず、コントロール用コンピュータ１００の制御部１１０は、デイジーチェーン接続された各表示装置を表示装置ＩＤの設定対象の表示装置とし、各表示装置を検索するための検索要求パケットをネットワーク部１２０からブロードキャストによって送信する（ステップＳ１１）。この検索要求には、コントロール用コンピュータ１００のＭＡＣアドレスが含まれている。
【００２４】
ブロードキャストされた検索要求は、コントロール用コンピュータ１００のネットワーク部１２０から表示装置２００−１の第１ポート部、表示装置２００−１の第２ポート部から表示装置２００−２の第１ポート部、表示装置２００−２の第２ポート部から表示装置２００−３の第１ポート部、表示装置２００−３の第２ポート部からから表示装置２００−４の第１ポート部へ送信される。このとき、各表示装置の第１ポート部のそれぞれの第１テーブルには、コントロール用コンピュータ１００のＭＡＣアドレスが記憶される（ステップＳ１２、図６）。
【００２５】
コントロール用コンピュータ１００から検索要求を受信すると、各表示装置２００は、コントロール用コンピュータ１００へ応答を送信する（ステップＳ１３）。この応答には、応答を送信する表示装置２００のＭＡＣアドレス（自身の表示装置に割り当てられたＭＡＣアドレス）が含まれる。ここでは、表示装置２００−４から送信された応答は、表示装置２００−３、表示装置２００−２、表示装置２００−１を経由して、コントロール用コンピュータ１００へ送信される。表示装置２００−３から送信された応答は、表示装置２００−２、表示装置２００−１を経由して、コントロール用コンピュータ１００へ送信される。表示装置２００−２から送信された応答は、表示装置２００−１を経由して、コントロール用コンピュータ１００へ送信される。表示装置２００−１から送信された応答は、コントロール用コンピュータ１００へ送信される。
【００２６】
各表示装置２００は、検索要求に対する応答を、自身の第２ポート部に接続された表示装置から受信する（ステップＳ１４）。そして各表示装置２００は、受信した表示装置のそれぞれのＭＡＣアドレスを第２テーブルに記憶する（ステップＳ１５、図７）。例えば、表示装置２００−１は、表示装置２００−２のＭＡＣアドレスと、表示装置２００−３のＭＡＣアドレスと、表示装置２００−４のＭＡＣアドレスとを第２テーブルに記憶する。表示装置２００−２は、表示装置２００−３のＭＡＣアドレスと、表示装置２００−４のＭＡＣアドレスを第２テーブルに記憶する。表示装置２００−３は、表示装置２００−４のＭＡＣアドレスを第２テーブルに記憶する。
【００２７】
コントロール用コンピュータ１００の制御部１１０は、各表示装置２００から送信された応答をネットワーク部１２０によって受信し（ステップＳ１６）、受信した各表示装置２００のＭＡＣアドレスを制御部１１０の内部のメモリにそれぞれ記憶する（ステップＳ１７、図８）。そして制御部１１０は、メモリに記憶された表示装置２００のＭＡＣアドレスの数をカウントし、合計数を算出し（ステップＳ１８）、算出された合計数を情報として含むＩＤ設定パケットを各表示装置２００に対してブロードキャストによって送信する（ステップＳ１９）。
【００２８】
各表示装置２００の制御部２１０は、ＩＤ設定パケットを受信すると（ステップＳ２０）、第１テーブルと第２テーブルのうち、コントロール用コンピュータ１００のＭＡＣアドレスが含まれていない方のテーブルがどちらであるかを判定し、判定結果として第２テーブルであることを得る。そして、各表示装置２００の制御部２１０は、第２テーブルに記憶されたＭＡＣアドレスの数をカウントし（ステップＳ２１）、合計数とカウント結果の個数との差を算出し、得られた差に基づいて、表示装置ＩＤを生成する（ステップＳ２２）。生成された表示装置ＩＤは、自身の制御部２１０の内部のメモリに記憶される（図９）。表示装置ＩＤが生成されると、制御部２１０は、この表示装置ＩＤをネットワーク部２２０によってコントロール用コンピュータ１００へ送信する（ステップＳ２３）。コントロール用コンピュータ１００は、各表示装置２００から送信された表示装置ＩＤを記憶する（ステップＳ２４、図１０）。
【００２９】
以上説明した第１及び第２の実施態様によれば、接続用に使用されている、レイヤ２スイッチのＭＡＣアドレス学習機能を利用し、レイヤ２スイッチに強制的にＭＡＣアドレスを学習させ、学習結果から、後段に接続された表示装置のＭＡＣアドレスの個数をカウントし、表示装置の合計数との差を算出することで、接続用ポートに非依存で、高速なディスプレイＩＤ自動設定方法を実現することができる。また、Ｅｔｈｅｒｎｅｔ（登録商標）では、前段用、後段用等の接続用ポートにおける依存がないことから、Ｅｔｈｅｒｎｅｔ（登録商標）のＲＪ４５コネクタの接続場所に依存しないＩＤ設定が可能となる。また、順次カウントするわけではなく、各ディスプレイが同時並列にＭＡＣアドレスの数をカウントするため、接続台数が増加した場合も高速に処理することが可能である。
【００３０】
なお、上述の第１及び第２実施形態において、表示装置ＩＤの算出の仕方として、表示装置の合計数と第２ポートに記憶されたＭＡＣアドレスの個数とに基づいて算出する場合について説明した。この算出の仕方として、合計数と第２ポートに記憶されたＭＡＣアドレスの個数との差を用いる以外に、合計数と第２ポートに記憶されたＭＡＣアドレスの個数との和を用いることもできる。また、合計数と第２ポートに記憶されたＭＡＣアドレスの個数とに基づいて、異なる表示装置ＩＤを生成することができれば、どのような演算を行ってもよい。
【００３１】
また、図１における表示装置２００の機能を実現するためのプログラムをコンピュータ読み取り可能な記録媒体に記録して、この記録媒体に記録されたプログラムをコンピュータシステムに読み込ませ、実行することにより表示装置ＩＤの設定処理を行ってもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００３３】
以上、この発明の実施形態について図面を参照して詳述してきたが、具体的な構成はこの実施形態に限られるものではなく、この発明の要旨を逸脱しない範囲の設計等も含まれる。
【符号の説明】
【００３４】
１、２００、２００-１、２００-２、２００-３、２００-４  表示装置
２  ネットワーク部
３  第１ポート
４  第２ポート
５、１１０、２１０−１、２１０−２、２１０−３、２１０−４  記憶部
６、１１０、２１０、２１０−１、２１０−２、２１０−３、２１０−４、  制御部
１００  コントロール用コンピュータ
１２０、２２０、２２０−１、２２０−２、２２０−３、２２０−４  ネットワーク部
２２１  第１ポート部
２２１ａ  第１テーブル
２２２  第２ポート部
２２２ａ  第２テーブル
２２３  第３ポート
【図１】
2015136660.tif 000003
【図２】
2015136660.tif 000004
【図３】
2015136660.tif 000005
【図４】
2015136660.tif 000006
【図５】
2015136660.tif 000007
【図６】
2015136660.tif 000008
【図７】
2015136660.tif 000009
【図８】
2015136660.tif 000010
【図９】
2015136660.tif 000011
【国際調査報告】
2015136660.tif 000012
2015136660.tif 000013
2015136660.tif 000014
2015136660.tif 000015